(57)【要約】【課題】  販売されたデジタルコンテンツの不正使用を防止することが可能な技術を提供する。【解決手段】  デジタルコンテンツを販売するデジタルコンテンツ販売方法において、顧客によって選択されたデジタルコンテンツの識別情報を受け付けるステップと、顧客によって選択されたデジタルコンテンツに当該デジタルコンテンツの再生処理を当該顧客のみに許可する為の状態情報として顧客を識別する識別情報を設定して個人用のデジタルコンテンツを生成し、前記生成したデジタルコンテンツを販売するステップとを有するものである。【選択図】        図１
2005322262.tif 000002
【特許請求の範囲】
【請求項１】
デジタルコンテンツを販売する販売装置におけるデジタルコンテンツ販売方法において、
商品識別情報読取装置は、顧客によって選択されたコンテンツのコンテンツ識別情報を読み取り、
販売処理部は、販売対象のデジタルコンテンツを記憶する記憶装置から、前記コンテンツ識別情報に対応するデジタルコンテンツを取得し、
販売員識別情報読取装置は、前記取得したデジタルコンテンツの販売を行う販売員に対応する販売員識別情報を取得し、
認証処理部は、前記取得した販売員識別情報に基づいて販売員を認証し、
販売処理部は、前記コンテンツ識別情報に対応するデジタルコンテンツの購入を希望する顧客の顧客識別情報を取得し、
支払確認処理部は、前記選択されたコンテンツの支払いが完了したか否かを示す支払確認情報を受け付け、
販売処理部は、前記取得したデジタルコンテンツに、そのデジタルコンテンツの再生処理を行うかどうかを再生装置の情報と比較して判定する為の前記顧客識別情報と前記受け付けた支払確認情報を埋め込んで、前記コンテンツ識別情報に対応する販売用デジタルコンテンツを生成し、
媒体書込み装置は、前記生成されたデジタルコンテンツを媒体へ書き込み、
販売情報収集処理部は、前記選択されたコンテンツ識別情報と前記販売員識別情報を格納することを特徴とするデジタルコンテンツ販売方法。
【請求項２】
前記デジタルコンテンツ、顧客及び販売員のそれぞれの識別情報を同一のデバイスで読み込み、販売員の認証に成功した場合に顧客識別情報を取得するステップに進むことを特徴とする請求項１に記載されたデジタルコンテンツ販売方法。
【請求項３】
前記顧客によって選択されたデジタルコンテンツを識別する識別情報として、当該デジタルコンテンツの代金の清算処理を行う清算装置と共通の識別コードを用いることを特徴とする請求項１に記載されたデジタルコンテンツ販売方法。
【請求項４】
デジタルコンテンツを販売するデジタルコンテンツ販売装置において、
商品識別情報読取装置は、顧客によって選択されたコンテンツのコンテンツ識別情報を読み取り、
販売処理部は、販売対象のデジタルコンテンツを記憶する記憶装置から、前記コンテンツ識別情報に対応するデジタルコンテンツを取得し、
販売員識別情報読取装置は、前記取得したデジタルコンテンツの販売を行う販売員に対応する販売員識別情報を取得し、
認証処理部は、前記取得した販売員識別情報に基づいて販売員を認証し、
販売処理部は、前記コンテンツ識別情報に対応するデジタルコンテンツの購入を希望する顧客の顧客識別情報を取得し、
支払確認処理部は、前記選択されたコンテンツの支払いが完了したか否かを示す支払確認情報を受け付け、
販売処理部は、前記取得したデジタルコンテンツに、そのデジタルコンテンツの再生処理を行うかどうかを再生装置の情報と比較して判定する為の前記顧客識別情報と前記受け付けた支払確認情報を埋め込んで、前記コンテンツ識別情報に対応する販売用デジタルコンテンツを生成し、
媒体書込み装置は、前記生成されたデジタルコンテンツを媒体へ書き込み、
販売情報収集処理部は、前記選択されたコンテンツ識別情報と前記販売員識別情報を格納することを特徴とするデジタルコンテンツ販売装置。
【請求項５】
デジタルコンテンツを販売するデジタルコンテンツ販売装置としてコンピュータを機能させる為のプログラムを記録した媒体において、
商品識別情報読取装置は、顧客によって選択されたコンテンツのコンテンツ識別情報を読み取り、
販売処理部は、販売対象のデジタルコンテンツを記憶する記憶装置から、前記コンテンツ識別情報に対応するデジタルコンテンツを取得し、
販売員識別情報読取装置は、前記取得したデジタルコンテンツの販売を行う販売員に対応する販売員識別情報を取得し、
認証処理部は、前記取得した販売員識別情報に基づいて販売員を認証し、
販売処理部は、前記コンテンツ識別情報に対応するデジタルコンテンツの購入を希望する顧客の顧客識別情報を取得し、
支払確認処理部は、前記選択されたコンテンツの支払いが完了したか否かを示す支払確認情報を受け付け、
販売処理部は、前記取得したデジタルコンテンツに、そのデジタルコンテンツの再生処理を行うかどうかを再生装置の情報と比較して判定する為の前記顧客識別情報と前記受け付けた支払確認情報を埋め込んで、前記コンテンツ識別情報に対応する販売用デジタルコンテンツを生成し、
媒体書込み装置は、前記生成されたデジタルコンテンツを媒体へ書き込み、
販売情報収集処理部は、前記選択されたコンテンツ識別情報と前記販売員識別情報を格納するプログラムを記録したことを特徴とする媒体。
【発明の詳細な説明】
【技術分野】
【０００１】
本発明はデジタルコンテンツを販売するデジタルコンテンツ販売装置に関し、特に再生処理を購入者に限定した個人用デジタルコンテンツを販売するデジタルコンテンツ販売装置に適用して有効な技術に関するものである。
【背景技術】
【０００２】
インターネットや衛星等の通信の発達により、デジタルコンテンツを流通販売するシステムが登場してきており、この動きは、デジタルコンテンツの社会流通を担う共通社会基盤としてコンピュータ及びネットワーク基盤が要望されてきていることを示している。この様なデジタルコンテンツの流通販売では、一般ユーザに近い販売サイトまでデジタルコンテンツを配送または配信し、そのデジタルコンテンツを販売装置で販売することが要望されている。
【０００３】
従来のデジタルコンテンツの販売装置の例としては、コンビニエンスストア等に設置されているものがあり、その販売装置は、商品の検索機能、オーダされた商品の注文レシート出力機能、商品の予約機能、ＣＤ−ＲＯＭから媒体へのコピー機能等を備え、顧客によって選択されたデジタルコンテンツをＣＤ−ＲＯＭから他の媒体へコピーした後、その媒体を販売している。
【発明の開示】
【発明が解決しようとする課題】
【０００４】
デジタルコンテンツの不正使用を防止するには、デジタルコンテンツを正規に購入した個人の範囲内でのみ使用を許可する様に当該デジタルコンテンツの使用を制限する機能が必要であるが、前記従来のデジタルコンテンツの販売装置では、個人の範囲内でのみ使用を許可されたものとしてデジタルコンテンツを販売することができない為、販売されたデジタルコンテンツの不正使用を防止することができないという問題がある。
【０００５】
また前記従来のデジタルコンテンツの販売装置では、コピー処理でコピー元となるオリジナルのデジタルコンテンツの不正使用を防止する手段を備えていない為、ＣＤ−ＲＯＭや販売装置内部に格納されたオリジナルのデジタルコンテンツが不正にコピーまたはダウンロードされたり、オリジナルのデジタルコンテンツを格納した媒体が持ち出されたりする様な不正使用を防止することができないという問題がある。
【０００６】
本発明の目的は上記問題を解決し、販売されたデジタルコンテンツの不正使用を防止することが可能な技術を提供することにある。
本発明の他の目的は販売装置内部に格納されているデジタルコンテンツの不正使用を防止することが可能な技術を提供することにある。
【課題を解決するための手段】
【０００７】
本発明は、デジタルコンテンツを販売するデジタルコンテンツ販売装置において、再生処理を購入者に限定した個人用デジタルコンテンツを販売するものである。
【０００８】
本発明のデジタルコンテンツ販売装置では、まず顧客が入力した検索条件に一致するデジタルコンテンツの商品情報を表示し、顧客によって選択されたデジタルコンテンツの識別情報を受け付ける。
【０００９】
デジタルコンテンツ販売装置の支払確認処理部は、ディスプレイ装置に支払確認を行う為のＧＵＩ（Graphical User Interface）を表示し、販売員からの支払確認操作を待つ。支払確認ボタンが押される等の支払確認完了を示す操作が行われると、顧客によって選択されたデジタルコンテンツの代金の支払が完了しているものと判定する。またＰＯＳ（Point of Sales）システムでデジタルコンテンツの代金の清算を行った後、ＰＯＳシステムからの支払確認情報の送信を受けて、顧客によって選択されたデジタルコンテンツの代金の支払が完了しているものと判定しても良い。
【００１０】
デジタルコンテンツ販売装置の販売処理部は、前記の様に代金の支払確認が行われたデジタルコンテンツに当該デジタルコンテンツの再生処理を当該顧客のみに許可する為の状態情報として顧客を識別する個人ＩＤを設定して個人用のデジタルコンテンツを生成し、その個人用デジタルコンテンツを媒体にコピーしたり再生装置へのダウンロードを行って、顧客によって選択されたデジタルコンテンツの販売を行う。
【００１１】
前記の様に本発明ではデジタルコンテンツに購入した顧客の個人ＩＤを入力して個人用デジタルコンテンツを生成した後に販売するので、その顧客個人の範囲でなければそのデジタルコンテンツを使用することができなくなる。この為、販売員や他の顧客が不正にそのデジタルコンテンツを取得しても当該デジタルコンテンツを視聴することができないので、そのデジタルコンテンツの不正使用を防止することができる。
【００１２】
また本発明では代金の支払確認が行われないとデジタルコンテンツのコピーやダウンロードが行われないので、デジタルコンテンツの不正なコピーやダウンロードを防止することができる。更に本発明では支払確認を行った販売員の情報が記録されるので、販売員が販売装置を操作して支払確認を不正に行った場合には、不正を行った販売員を容易に特定することができる。
【００１３】
また本発明では販売装置自身や配信管理センタが販売装置の状態を監視しており、販売装置のカバーを開けて内部に格納されているデジタルコンテンツを持ち出そうとすると販売処理の停止やデジタルコンテンツの削除が行われるので、デジタルコンテンツの不正な持ち出しを防止することができる。
【００１４】
以上の様に本発明のデジタルコンテンツ販売装置によれば、再生処理を購入者に限定した個人用デジタルコンテンツを販売するので、販売されたデジタルコンテンツの不正使用を防止することが可能である。
【発明の効果】
【００１５】
本発明によれば再生処理を購入者に限定した個人用デジタルコンテンツを販売するので、販売されたデジタルコンテンツの不正使用を防止することが可能である。
【発明を実施するための最良の形態】
【００１６】
以下にデジタルコンテンツである電子書籍を書店やコンビニエンスストア等の販売店で販売する一実施形態のデジタルコンテンツ販売装置について説明する。
【００１７】
図１は本実施形態のデジタルコンテンツ販売システムの概略構成を示す図である。図１に示す様に本実施形態のデジタルコンテンツ販売システムは、販売装置１００と、検索装置１１０と、ＰＯＳシステム１２０とを有している。
【００１８】
販売装置１００は、検索装置１１０で出力された注文票を読込み、顧客によって選択された電子書籍を媒体に複写してその媒体を顧客に販売する装置である。検索装置１１０は、販売装置１００に格納された電子書籍の商品情報を検索して表示し、顧客によって選択された電子書籍の注文票を出力する装置である。ＰＯＳシステム１２０は、検索装置１１０で出力された注文票を読込み、顧客によって選択された電子書籍の代金の清算を行うシステムである。
【００１９】
図１に示す様に本実施形態のデジタルコンテンツ販売システムにおいて、まず検索装置１１０は電子書籍を検索する為のＧＵＩを表示して顧客からの操作指示を待ち、顧客により操作指示が入力されると販売装置１００に格納された電子書籍の商品情報を検索して表示し、顧客によって選択された電子書籍の注文票を出力する。顧客が販売店の販売員にその注文票を渡すと、販売員は検索装置１１０で出力された注文票をＰＯＳシステム１２０に読込ませ、顧客によって選択された電子書籍の代金の清算を行う。
【００２０】
販売員により販売装置１００に対する当該販売員の認証処理が行われた後、検索装置１１０で出力された注文票、支払が完了していることを示す情報及び当該顧客を識別する個人ＩＤが販売装置１００に入力されると、販売装置１００は顧客によって選択された電子書籍を当該顧客用の個人用電子書籍に変換して媒体に複写し、販売員はその媒体を顧客に渡す。
【００２１】
図２は本実施形態の販売装置１００の概略構成を示す図である。図２に示す様に本実施形態の販売装置１００は、ＣＰＵ２０１と、メモリ２０２と、磁気ディスク装置２０３と、キーボード２０４と、ディスプレイ装置２０５と、通信アダプタ２０６と、バーコードリーダ２０７と、媒体書込み装置２０８と、ＩＣカードリーダ２０９とを有している。
【００２２】
ＣＰＵ２０１は、販売装置１００全体の動作を制御する制御装置である。メモリ２０２は、販売装置１００の動作を制御する為の各種処理プログラムやデータをロードする記憶装置である。磁気ディスク装置２０３は、前記各種処理プログラムや電子書籍等のデータを格納する記憶装置である。
【００２３】
キーボード２０４は、販売装置１００への操作指示等を入力する入力装置である。ディスプレイ装置２０５は、販売装置１００の動作状況等を表示する出力装置である。通信アダプタ２０６は、他の装置との通信を行うアダプタである。
【００２４】
バーコードリーダ２０７は、注文票に印刷されたバーコードを読取る装置である。媒体書込み装置２０８は、販売する電子書籍を媒体に書き込む装置である。ＩＣカードリーダ２０９は、販売員を認証する為のＩＣカードを読込む装置である。
【００２５】
また販売装置１００は、販売処理部２１１と、認証処理部２１２と、注文票読込み処理部２１３と、定期購読処理部２１４と、支払確認処理部２１５と、販売情報収集処理部２１６と、自己制御処理部２１７と、監視制御応答処理部２１８とを有している。
【００２６】
販売処理部２１１は、顧客によって選択された電子書籍に当該電子書籍の再生処理を当該顧客のみに許可する為の状態情報として顧客を識別する顧客ＩＤを設定して個人用電子書籍を生成し、前記生成した個人用電子書籍を販売する処理部である。
【００２７】
認証処理部２１２は、電子書籍の代金の支払確認を行う販売員を認証する処理部である。注文票読込み処理部２１３は、注文票を読込む処理部である。定期購読処理部２１４は、当該顧客が定期購読している電子書籍の中で未購入の電子書籍を購入対象として追加する処理部である。
【００２８】
支払確認処理部２１５は、販売員またはＰＯＳシステム１２０からの支払確認を入力し、顧客によって選択された電子書籍の代金の支払が完了していることを確認する処理部である。販売情報収集処理部２１６は、販売装置１００で行った販売の内容を示し、電子書籍の代金の支払確認を行った販売員を識別する販売員ＩＤを含む販売情報を格納する処理部である。
【００２９】
自己制御処理部２１７は、販売装置１００自身の状態を監視し、異常な状態が検出された場合に販売処理の停止または磁気ディスク装置２０３に格納されている電子書籍の削除を行う処理部である。監視制御応答処理部２１８は、配信管理センタからの指示に応じて動作状況の送信、販売処理の停止または磁気ディスク装置２０３に格納されている電子書籍の削除を行う処理部である。
【００３０】
販売装置１００を販売処理部２１１、認証処理部２１２、注文票読込み処理部２１３、定期購読処理部２１４、支払確認処理部２１５、販売情報収集処理部２１６、自己制御処理部２１７及び監視制御応答処理部２１８として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００３１】
図３は本実施形態の検索装置１１０の概略構成を示す図である。図３に示す様に本実施形態の検索装置１１０は、ＣＰＵ３０１と、メモリ３０２と、磁気ディスク装置３０３と、キーボード３０４と、ディスプレイ装置３０５と、通信アダプタ３０６と、注文票印刷装置３０７とを有している。
【００３２】
ＣＰＵ３０１は、検索装置１１０全体の動作を制御する制御装置である。メモリ３０２は、検索装置１１０の動作を制御する為の各種処理プログラムやデータをロードする記憶装置である。磁気ディスク装置３０３は、前記各種処理プログラムや電子書籍の商品情報等のデータを格納する記憶装置である。
【００３３】
キーボード３０４は、検索装置１１０への操作指示等を入力する入力装置である。ディスプレイ装置３０５は、検索処理用のＧＵＩや検索装置１１０の動作状況等を表示する出力装置である。通信アダプタ３０６は、他の装置との通信を行うアダプタである。注文票印刷装置３０７は、選択された電子書籍を識別する為のバーコードを注文票に印刷して出力する装置である。
【００３４】
また検索装置１１０は選択処理部３１０を有している。選択処理部３１０は、顧客が入力した検索条件に一致する電子書籍の商品情報を表示し、顧客によって選択された電子書籍を識別する商品ＩＤを、ＰＯＳシステム１２０と共通のバーコードで注文票に印刷して出力する処理部である。
【００３５】
検索装置１１０を選択処理部３１０として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００３６】
以下に本実施形態のデジタルコンテンツ販売システムにおいて、顧客によって選択された電子書籍を販売する処理について説明する。
【００３７】
図４は本実施形態の選択処理部３１０の処理手順を示すフローチャートである。ステップ４０１で検索装置１１０の選択処理部３１０は、ディスプレイ装置３０５に電子書籍の検索を行う為のＧＵＩを表示し、顧客が入力する検索条件を受け付ける。顧客から検索条件が入力されるとステップ４０２で選択処理部３１０は、販売装置１００中の商品情報を検索し、前記受け付けた検索条件に一致する電子書籍の商品情報を読み出す。ステップ４０３では前記検索の結果得られた電子書籍の商品情報をディスプレイ装置３０５に表示し、顧客による電子書籍の選択を受け付ける。
【００３８】
ステップ４０４では、前記表示された商品情報中の特定の電子書籍が顧客により選択されたかどうかを調べ、電子書籍の選択が行われた場合にはステップ４０５に進む。再検索が指示された場合にはステップ４０１に戻り、検索条件の入力を再度受け付ける。
【００３９】
ステップ４０５では、前記選択された電子書籍を識別する為のバーコードを注文票印刷装置３０７により印刷し、前記バーコードが印刷された注文票を装置外に排出する。顧客は出力された注文票を販売店の販売員に渡して電子書籍の購入を依頼する。なお前記選択された電子書籍を識別する為のバーコードは、ＰＯＳシステム１２０で用いられるバーコードと共通のコードとする。
【００４０】
顧客が販売店の販売員にその注文票を渡すと、販売員は検索装置１１０で出力された注文票をＰＯＳシステム１２０に読込ませ、顧客によって選択された電子書籍の代金を顧客から受け取って当該電子書籍の代金の清算を行う。
【００４１】
図５は本実施形態の販売処理部２１１の処理手順を示すフローチャートである。ステップ５０１で販売装置１００の販売処理部２１１は販売員が所持するＩＣカードをＩＣカードリーダ２０９で検出すると認証処理部２１２を起動する。認証処理部２１２は、販売員が所持するＩＣカードをＩＣカードリーダ２０９により読込み、ステップ５０２で当該ＩＣカード中の販売員ＩＤと販売装置１００に予め登録されている販売員ＩＤとを比較する。当該ＩＣカード中の販売員ＩＤと販売装置１００中の販売員ＩＤとが一致した場合にはステップ５０３に進み、一致しなかった場合にはステップ５０１に戻って販売員ＩＤの再入力を待つ。
【００４２】
ステップ５０３で販売処理部２１１は、電子書籍を購入する顧客を識別する個人ＩＤを、当該個人ＩＤを格納したＩＣカードや当該個人ＩＤをバーコードとして印刷したカード等から入力する。なおここで入力される個人ＩＤとしては、顧客の再生装置の装置シリアル番号、販売店で予め定めた業者指定ＩＤ、顧客が予め定めたユーザ指定ＩＤ、公開鍵、チケット方式のパスワード等がある。
【００４３】
ステップ５０４で注文票読込み処理部２１３は、顧客から渡された注文票のバーコードを販売装置１００のバーコードリーダ２０７で読取り、顧客によって選択された電子書籍の商品ＩＤを販売装置１００に入力する。
【００４４】
ステップ５０５で販売処理部２１１は、前記入力された商品ＩＤの電子書籍が販売装置１００の磁気ディスク装置２０３に格納されているかどうかを調べ、当該電子書籍が販売装置１００に格納されていない場合にはステップ５０６に進み、配信要求を配信管理センタに送信して当該電子書籍の配信をオンデマンドで受ける。またステップ５０５で調べた結果、当該電子書籍が販売装置１００に格納されている場合にはステップ５０７に進む。
【００４５】
ステップ５０７で定期購読処理部２１４は、当該顧客が定期購読している電子書籍についてそれらが既に販売済みであるかどうかを調べ、当該顧客が定期購読している電子書籍の中で当該顧客が未購入の電子書籍を未購入リストとして表示し、購入指示が入力された電子書籍の商品ＩＤを購入対象として追加する。
【００４６】
ステップ５０８で支払確認処理部２１５は、ディスプレイ装置２０５に支払確認を行う為のＧＵＩを表示し、ステップ５０９で販売員からの支払確認を受け付ける。支払確認ボタンが押される等の支払確認完了を示す操作が行われるとステップ５１０に進み、支払確認の入力がない場合にはステップ５０８に戻って入力を待つ。なお販売装置１００とＰＯＳシステム１２０とをネットワークで接続し、当該電子書籍の清算が終了したときにＰＯＳシステム１２０から販売装置１００へ当該電子書籍の支払確認情報を送信するものとしても良い。
【００４７】
ステップ５１０で販売処理部２１１は、顧客によって選択された電子書籍を磁気ディスク装置２０３から読み出してコピーを作成し、顧客による再生処理を許可する状態情報として当該顧客の個人ＩＤと支払確認情報を前記作成したコピーに格納して個人用電子書籍を生成する。試行版とする場合には制限時間を設定し、また単に有効化するだけで良い場合には状態情報に「１」等の単純なビット情報を設定することとしても良い。
【００４８】
図６は本実施形態の個人用電子書籍の一例を示す図である。図６に示す様に本実施形態の個人用電子書籍６００は、状態情報６０１と、支払確認情報６０２と、電子書籍本体６０３とを有している。
【００４９】
状態情報６０１は、個人用電子書籍６００の再生処理を顧客個人のみに許可する為の情報である。支払確認情報６０２は、個人用電子書籍６００の代金の支払が完了していることを示す情報である。電子書籍本体６０３は、個人用電子書籍６００のデジタルコンテンツ本体である。
【００５０】
図６に示す様に個人用電子書籍６００の状態情報６０１には該電子書籍の再生処理を個人ＩＤで示される顧客のみに許可する為の情報として「０」が設定されている。なお電子書籍本体６０３は、個人用電子書籍６００を再生するアプリケーションプログラムで定義されたフォーマットで生成されており、中間言語若しくはバイナリ状態で記載されたアプリケーションコンテナとなっているものとする。
【００５１】
ステップ５１１では前記生成した個人用電子書籍を媒体書込み装置２０８によりフラッシュメモリ等の媒体に書込み、販売員は個人用電子書籍が書込まれた媒体を顧客に渡す。顧客は媒体に書込まれた電子書籍を顧客が所有する再生装置で表示して電子書籍の内容を読むことができる。この際、再生装置は個人用電子書籍に格納されている個人ＩＤが当該再生装置に登録されている個人ＩＤと一致し、また個人用電子書籍に支払確認情報が格納されている場合に再生処理を行うものとする。
【００５２】
ステップ５１２で販売情報収集処理部２１６は、前記の処理で行った販売処理の内容を示す販売情報として、販売した電子書籍の商品ＩＤ、担当した販売員の販売員ＩＤ、購入した顧客の個人ＩＤ、支払確認の種別、販売年月日等を磁気ディスク装置２０３中に格納する。なお本実施形態では前記商品ＩＤ、販売員ＩＤ及び個人ＩＤを入力する装置としてバーコードリーダ２０７やＩＣカードリーダ２０９を用いたが、それらのＩＤを共通のデバイスで入力しても良い。
【００５３】
前記販売処理部２１１のステップ５０７の定期購読処理部２１４では、当該顧客が定期購読している電子書籍の中で未購入の電子書籍を購入対象として追加する定期購読処理が行われている。以下にこの定期購読処理部２１４の処理について説明する。
【００５４】
図７は本実施形態の定期購読処理部２１４の処理手順を示すフローチャートである。ステップ７０１で定期購読処理部２１４は、磁気ディスク装置２０３から定期購読情報を読込む。ステップ７０２では、当該顧客の個人ＩＤに対応する定期購読情報があるかどうかを調べ、当該顧客の個人ＩＤに対応する定期購読情報がある場合にはステップ７０３に進み、当該顧客の個人ＩＤに対応する定期購読情報がない場合には処理を終了して販売処理部２１１に戻る。
【００５５】
ステップ７０３では磁気ディスク装置２０３の商品情報を参照し、当該顧客が定期購読している電子書籍の中で配信済みの商品情報を読込む。ステップ７０４では磁気ディスク装置２０３の販売情報を参照し、当該顧客が定期購読している電子書籍の中で当該顧客に販売済みの商品情報を読込む。
【００５６】
ステップ７０５では前記配信済みの電子書籍と前記販売済みの商品情報とを比較し、当該顧客が定期購読している電子書籍の中で当該顧客が未購入の電子書籍があるかどうかを調べる。当該顧客が未購入の電子書籍がある場合にはステップ７０６に進み、当該顧客が未購入の電子書籍がない場合には処理を終了して販売処理部２１１に戻る。
【００５７】
ステップ７０６では、当該顧客が定期購読している電子書籍の中で当該顧客が未購入の電子書籍を未購入リストとして表示し、購入するかどうかの入力を受け付ける。販売員は未購入リストを参照して顧客に購入の意志を尋ね、結果を入力する。
【００５８】
ステップ７０７では、未購入リスト中の電子書籍の購入指示が入力されたかどうかを調べ、購入指示が入力された場合にはステップ７０８に進み、購入指示が入力された電子書籍の商品ＩＤを購入対象として追加して販売処理部２１１に戻る。またステップ７０７で購入見送り指示が入力された場合には処理を終了して販売処理部２１１に戻る。
【００５９】
以下に本実施形態のデジタルコンテンツ販売システムにおいて、販売装置１００の状態に応じて販売処理を停止する処理について説明する。
【００６０】
図８は本実施形態の自己制御処理部２１７の処理手順を示すフローチャートである。販売装置１００の自己制御処理部２１７は、現在時刻が特定の時刻になった場合や、販売装置１００のカバー開放または認証処理部２１２での不正な販売員ＩＤの読込み等の特定のイベントが検出された場合に処理を開始し、まずステップ８０１で販売装置１００の状態を示す販売装置情報をメモリ２０２や磁気ディスク装置２０３から読み出す。
【００６１】
ステップ８０２で販売装置情報の内容を調べ、異常状態が検出されない場合には処理を終了し、カバー開放や不正な販売員ＩＤの使用等、異常な状態を検出した場合にはステップ８０３に進み、販売処理部２１１の処理を終了させる。またステップ８０３では、磁気ディスク装置２０３に格納されている電子書籍を削除して電子書籍の不正使用を防止することとしても良い。
【００６２】
また本実施形態のデジタルコンテンツ販売システムにおいて、配信管理センタが販売装置１００の状態を監視し、販売装置１００からの応答が無かった場合に販売装置１００に異常が発生したものとして、次回の監視制御時にその販売装置１００の販売処理を停止させても良い。
【００６３】
図９は本実施形態の配信管理センタの監視制御処理の処理手順を示すフローチャートである。ステップ９０１で配信管理センタは、現在時刻が特定の時刻になった場合等の特定のイベントが検出された場合に処理を開始し、販売装置１００に監視制御メッセージを送信し、販売装置１００からの応答を待つ。
【００６４】
図１０は本実施形態の販売装置１００の監視制御応答処理部２１８の処理手順を示すフローチャートである。ステップ１００１で販売装置１００の監視制御応答処理部２１８は、配信管理センタから送信された監視制御メッセージを受信し、ステップ１００２でその監視制御メッセージの内容を読み出し、監視制御メッセージ中に販売装置１００の販売処理を停止する指示があるかどうかを調べる。監視制御メッセージ中に販売処理の停止指示がない場合にはステップ１００４に進み、監視制御メッセージへの応答として販売装置１００の動作状態を示すメッセージを配信管理センタに送信する。
【００６５】
ステップ９０２で配信管理センタは、販売装置１００からの応答を受信したかどうかを調べ、応答が受信されない場合にはステップ９０３に進み、その販売装置１００で異常が発生したものとして販売処理を停止させる指示をその販売装置１００へ次回送信する監視制御メッセージに設定する。ステップ９０２で応答が受信された場合にはステップ９０４に進む。ステップ９０４では、当該配信管理センタで管理する各販売装置に監視制御メッセージを送信したかどうかを調べ、まだ各販売装置に監視制御メッセージを送信していない場合にはステップ９０１に戻り、各販売装置への監視制御メッセージの送信を完了した場合には監視制御処理を終了する。
【００６６】
ステップ９０１で再び特定のイベントが検出された場合、前回応答が受信されなかった販売装置１００には販売処理停止指示が設定された監視制御メッセージが送信される。
【００６７】
前記応答を送信できなかった販売装置１００の監視制御応答処理部２１８は、ステップ１００１で監視制御メッセージを受信した後、ステップ１００２で監視制御メッセージ中に販売処理停止指示があることを検出し、ステップ１００３で販売装置１００の販売処理を停止する。またこのときに磁気ディスク装置２０３に格納されている電子書籍を削除して電子書籍の不正使用を防止することとしても良い。
【００６８】
そしてステップ１００４では監視制御メッセージへの応答として、販売装置１００の販売処理を停止したことを示すメッセージを配信管理センタに送信する。
【００６９】
以上説明した様に本実施形態のデジタルコンテンツ販売装置によれば、再生処理を購入者に限定した個人用デジタルコンテンツを販売するので、販売されたデジタルコンテンツの不正使用を防止することが可能である。
【００７０】
また本実施形態のデジタルコンテンツ販売装置によれば、顧客によって選択されたデジタルコンテンツの代金の支払確認を行った後にデジタルコンテンツの販売を行うので、販売装置内部に格納されているデジタルコンテンツの不正使用を防止することが可能である。
【００７１】
また本実施形態のデジタルコンテンツ販売装置によれば、販売装置自身や配信管理センタが販売装置の異常な状態を検出して販売処理の停止やデジタルコンテンツの削除を行うので、販売装置内部に格納されたデジタルコンテンツの不正な持ち出しを防止することが可能である。
【図面の簡単な説明】
【００７２】
【図１】本実施形態のデジタルコンテンツ販売システムの概略構成を示す図である。
【図２】本実施形態の販売装置１００の概略構成を示す図である。
【図３】本実施形態の検索装置１１０の概略構成を示す図である。
【図４】本実施形態の選択処理部３１０の処理手順を示すフローチャートである。
【図５】本実施形態の販売処理部２１１の処理手順を示すフローチャートである。
【図６】本実施形態の個人用電子書籍の一例を示す図である。
【図７】本実施形態の定期購読処理部２１４の処理手順を示すフローチャートである。
【図８】本実施形態の自己制御処理部２１７の処理手順を示すフローチャートである。
【図９】本実施形態の配信管理センタの監視制御処理の処理手順を示すフローチャートである。
【図１０】本実施形態の販売装置１００の監視制御応答処理部２１８の処理手順を示すフローチャートである。
【符号の説明】
【００７３】
１００…販売装置、１１０…検索装置、１２０…ＰＯＳシステム、２０１…ＣＰＵ、２０２…メモリ、２０３…磁気ディスク装置、２０４…キーボード、２０５…ディスプレイ装置、２０６…通信アダプタ、２０７…バーコードリーダ、２０８…媒体書込み装置、２０９…ＩＣカードリーダ、２１１…販売処理部、２１２…認証処理部、２１３…注文票読込み処理部、２１４…定期購読処理部、２１５…支払確認処理部、２１６…販売情報収集処理部、２１７…自己制御処理部、２１８…監視制御応答処理部、３０１…ＣＰＵ、３０２…メモリ、３０３…磁気ディスク装置、３０４…キーボード、３０５…ディスプレイ装置、３０６…通信アダプタ、３０７…注文票印刷装置、３１０…選択処理部、６００…個人用電子書籍、６０１…状態情報、６０２…支払確認情報、６０３…電子書籍本体。
【図１】
2005322262.tif 000003
【図２】
2005322262.tif 000004
【図３】
2005322262.tif 000005
【図４】
2005322262.tif 000006
【図５】
2005322262.tif 000007
【図６】
2005322262.tif 000008
【図７】
2005322262.tif 000009
【図８】
2005322262.tif 000010
【図９】
2005322262.tif 000011
【図１０】
2005322262.tif 000012